(57)【特許請求の範囲】
【請求項１】
顕微鏡スタンド（２）、顕微鏡ステージ（６）、作動位置にて光軸（５）を規定する少なくとも１つの対物レンズ（４）、および前記顕微鏡スタンド（２）に設けられる少なくとも１つの動作要素（８）を有する焦点合わせ装置（２０）を備えて成る顕微鏡（１）であって、前記光軸（５）の方向における前記対物レンズ（４）と前記顕微鏡ステージ（６）の間の相対的な動きが、前記焦点合わせ装置（２０）とともに、前記焦点合わせ装置（２０）の第１軸（２６）に取り付けられる前記少なくとも１つの動作要素（８）によって生成されるような顕微鏡において、
前記顕微鏡スタンド（２）の側壁（２ａ、２ｂ）における前記少なくとも１つの動作要素（８）の空間配置が、湾曲した細長い穴（１３）によって垂直および水平方向で基本的に調整可能であるように、前記焦点合わせ装置（２０）が前記顕微鏡スタンド（２）内でのその位置に関して変更可能であり、
前記焦点合わせ装置（２０）が旋回軸（２３）を備え、それを中心に焦点合わせ装置が前記少なくとも１つの動作要素（８）とともに旋回して、前記顕微鏡スタンド（２）の前記少なくとも１つの側壁（２ａ、２ｂ）における前記動作要素（８）の位置が調整可能である、顕微鏡（１）。
【請求項２】
前記動作要素（８）の前記顕微鏡スタンド（２）における空間配置が、前記光軸（５）に平行な方向で基本的に調整可能である、請求項１に記載の顕微鏡。
【請求項３】
前記焦点合わせ装置（２０）および前記動作要素（８）と連動するようになっており且つ前記顕微鏡スタンド（２）に設けられたガイド（４７）に沿って摺動するような、支持キャリジ（４１）が設けられる、請求項１または２に記載の顕微鏡。
【請求項４】
前記旋回軸（２３）と実質的に同軸に配置された第２軸（２１）が設けられ、前記第１軸（２６）の回転運動が前記動作要素（８）を介して前記第２軸（２１）へ伝達可能であるように具体化される、請求項１に記載の顕微鏡。
【請求項５】
前記焦点合わせ装置（２０）の前記第１軸（２６）が、前記動作要素（８）によって生じる前記第１軸（２６）の回転を電気的信号に変換するセンサー要素（６１）と協働するコーディングディスク（６０）を備える、請求項１に記載の顕微鏡。
【請求項６】
前記センサー要素（６１）が、前記焦点合わせ装置（２０）に固定して連結される光バリアである、請求項５に記載の顕微鏡。
【請求項７】
前記対物レンズ（４）と顕微鏡ステージ（６）との間の相対的な動きを生じる、少なくとも１つのモーター（６２）が前記顕微鏡スタンドに設けられる、請求項５に記載の顕微鏡。
【請求項８】
前記動作要素（８）が粗駆動部（８ａ）および／または微駆動部（８ｂ）を備える、請求項１〜７のいずれか一項に記載の顕微鏡。
【請求項９】
２つの動作要素（８）が、前記顕微鏡スタンド（２）の前記２つの側壁（２ａ、２ｂ）の各々に設けられる、請求項８に記載の顕微鏡。
【発明の詳細な説明】
【技術分野】
【０００１】
本発明は顕微鏡に関するものである。この顕微鏡は、顕微鏡スタンド、顕微鏡ステージ、作動位置にて光軸を規定（画定）する少なくとも１つの対物レンズ、および上記顕微鏡スタンドに設けられる少なくとも１つの動作要素を有する焦点合わせ装置を備えて成り、上記光軸の方向における上記対物レンズと上記顕微鏡ステージの間の相対運動が、上記焦点合わせ装置とともに、上記焦点合わせ装置の第１軸に取り付けられる上記少なくとも１つの動作要素によって生成される。
【背景技術】
【０００２】
上記様式の顕微鏡は、かなり前から現存技術において知られている。極めて一般的に、直立および倒立光学顕微鏡において、試料の焦点合わせが、試料を対物レンズに対して対応する位置を決めることによって、具体的に言えば、検出される試料部位が対物レンズの焦点面に配置されるようにして達成される。これは、一方では、対物レンズは、任意に、対物レンズを収容する対物レンズタレットとともに、試料に対して光軸に沿って位置決めされるという事実によって達成される。この場合に、例えば、従来の試料スライドに取り付けられた試料は、顕微鏡ステージ上の対応するホルダーに固締されて、そのときこの顕微鏡ステージは顕微鏡対物レンズの光軸方向に動かされない。このタイプの焦点合わせは通常倒立光学顕微鏡で行われる。他方では、顕微鏡ステージは顕微鏡スタンドに対して可動であるように配置され、焦点合わせのために光軸方向で位置決めされ得る。この場合に、対物レンズは顕微鏡スタンドに対してその光軸方向に動かない。後のタイプの焦点合わせは通常直立光学顕微鏡で行われる。顕微鏡ステージが、試料スライドが、例えば、本出願人の共焦点レーザー走査顕微鏡と同様に、検流計によって制御される直線または旋回運動を用いて対物レンズに対して位置決めされる機構を備える場合、顕微鏡ステージを用いての焦点合わせも、本発明の目的のために存在する。
【０００３】
両方の場合とも、調べられる試料の焦点合わせは、通常オペレータが顕微鏡スタンドに配置された動作要素を操作し、この結果として、対物レンズか、或いは顕微鏡ステージが、オペレータの操作に応じて、対物レンズの光軸方向で顕微鏡スタンドに対して位置決めされるという事実によって実行される。動作要素は回転ノブであるが、通常、回転軸を中心として回転可能に配置され、かつ軸に直接または間接に結合される、２つの回転ノブ（１つは微駆動用回転ノブおよび１つは粗駆動用回転ノブ）である。オペレータによる回転ノブの回転が、動作要素に結合される軸の回転を引き起こす。軸の回転は、次には、通常機械的に、光軸方向の顕微鏡ステージまたは対物レンズの直線運動に換えられる。
【０００４】
動作要素は、通常、顕微鏡スタンドの１つの側壁に或る高さで横方向に、通常顕微鏡が立つ支持面から数センチ離れて配置される。この動作要素の配置は平均的なオペレータの手の大きさに対して最適化されるが、その配置は手の大きいオペレータにとっては低過ぎ、手の小さいオペレータにとっては高過ぎる。平均的手の大きさから外れた手の大きさのユーザの場合、顕微鏡操作がそのために長期間で疲労を招き、結果として、その点において人間工学的でない。
【発明の開示】
【発明が解決しようとする課題】
【０００５】
従って、本発明の目的は、前述の問題が解消される、最初に引用した種類の顕微鏡を表わし、改善することである。具体的に言えば、動作要素の配置は、オペレータの必要に適合できるように意図され、そのため人間工学的な顕微鏡操作が、オペレータにとって彼らの手の大きさに関係なく付加的に可能である。
【課題を解決するための手段】
【０００６】
本発明による前述の様式の顕微鏡は、請求項１の特徴構成によって前述の目的を達成する。
【０００７】
本発明によって認識されたことは、様々な手の大きさの様々なオペレータにとって、顕微鏡スタンドの動作要素の配置または位置が変更され得る場合、顕微鏡操作は、具体的に言えば、より長い期間にわたって人間工学的かつ効率的方法で実行され得るということである。従って、手の大きさの小さい顕微鏡オペレータが、例えば、動作要素を操作するために彼の手をその上に置き、それによって動作要素と顕微鏡が立つ支持面との間の距離を小さくする、本を顕微鏡スタンドのそばに置くことによって、助けられることが必要でない。本発明によって変更可能である顕微鏡スタンドの動作要素の配置により、動作要素の位置はオペレータの必要に個々に適合できるので、著しく有利な結果は、顕微鏡を操作する場合、ユーザの腕または手の疲労が、少なくとも焦点合わせに関しては、大いに防止され得ることである。
【０００８】
原理上は、動作要素は、顕微鏡が配置される支持面に対して水平および／または垂直方向で顕微鏡スタンドに対して変更され得ることが考えられる。具体的に言えば、オペレータの腕の長さが短い場合、彼が彼自身に「動作要素をより近づける」ようにして、水平方向における動作要素の配置を変更することが有利であり得る。
【０００９】
また一方、動作要素の空間配置が垂直方向で基本的に変更可能である手段が講じられることが、好ましい。動作要素が連動し、かつ顕微鏡スタンドに設けられるガイドに沿って可動である支持キャリジが、そのために設けられるということもあり得る。ガイドは、動作要素が顕微鏡スタンド上で光軸に平行な方向で基本的に調整可能であるようにして、具体化され得る。本発明の実施形態において、顕微鏡スタンドの少なくとも１つの側壁の少なくとも１つの動作要素の空間配置は、湾曲した細長い穴によって垂直および水平方向で基本的に調整可能である。また、本発明の極めて特に好ましい実施形態によって、動作要素は焦点装置と連動し、焦点装置、従って動作要素も旋回軸を中心として旋回可能に配置される。焦点装置は、垂直方向で基本的に動かされ得る支持キャリジに配置されることもあり得る。この結果として、動作要素の顕微鏡スタンドに対する空間配置が、支持キャリジ全体の上下運動によって変更されることもあり得る。他方、焦点装置と連動する動作要素の特定の位置を考えると、動作要素は設けられる旋回軸を中心として旋回することも可能であり、そのため動作要素の顕微鏡スタンドに対する配置の水平および垂直変更が、上に述べたように同時に達成され得る。また一方、動作要素の旋回軸を中心とした旋回だけを与える手段が講じられて、旋回軸は顕微鏡スタンドに配置されることが好ましい。旋回軸の顕微鏡スタンドにおける配置、動作要素と旋回軸との間の間隔、および旋回角範囲の画定が、垂直および水平方向成分を大いに有する、動作要素の顕微鏡スタンドに対する運動が可能となるように、顕微鏡スタンドにおける動作要素の空間配置の変更を可能にする。特に有利なやり方で、この実施形態は、設計に関して比較的容易に具体化されることが可能であり、そのため製造コストを小さく抑えることができる。動作要素の旋回可能な配置の場合、旋回軸を中心に旋回可能に配置され、かつ動作要素と連動する、焦点合わせ装置が設けられることもあり得る。焦点装置は、顕微鏡スタンドの内部に、オペレータに見えないように配置されることが好ましい。
【００１０】
支持キャリジおよび連動焦点装置が通常顕微鏡スタンドの内部に配置され、従ってオペレータには見えない。具体的には、動作要素の支持キャリジとの「連動」が、動作要素が支持キャリジに対するその空間配置に関して変更できないように配置されることを意味することを理解されるべきである。この場合に、動作要素の顕微鏡スタンドに関する空間配置は、支持キャリジまたは焦点装置の移動によって、垂直方向において上述のように変更されることもあり得る。
【００１１】
支持キャリジのためのガイドは、ボールガイド、具体的に言えば、クロスドローラーガイド、またはプレーンガイド、具体的に言えば、ダブテールガイドを備えることもあり得る。支持キャリジは、その点において、対物レンズタレットまたは顕微鏡ステージに相当する形で取り付けられるか、またはガイドされることもあり得るので、それらの組立品も対物レンズの光軸方向において移動可能に配置される。
【００１２】
極めて一般的に、焦点合わせ装置の動作要素は、対物レンズまたは顕微鏡ステージが位置決めされ得る、少なくとも１つの押ボタンスイッチを備えることもあり得る。これは特に研究顕微鏡の顕微鏡スタンドの場合であり、ここでは対物レンズまたは顕微鏡ステージの運動がモーター制御方法で達成される。従って、押ボタンスイッチの形で構成される動作要素は、対応するモーターを備える制御装置のための変換器として具体化される。そのとき、焦点合わせ装置の第１軸が、動作要素によって生成される第１軸の回転を電気信号に変換する、センサー要素と協働するコーディング（コード化）ディスクを備えるように具体化される。センサー要素は、例えば、焦点合わせ装置にしっかりと固定されて連結される光バリアである。対物レンズと顕微鏡ステージとの間の相対的運動を生じる、少なくとも１つのモーターが、顕微鏡スタンドの内部に設けられる。
【００１３】
また一方、特に簡単な顕微鏡スタンドについて、動作要素は、焦点合わせのために、回転軸を中心として回転可能に取り付けられる、少なくとも１つの回転ノブ（動作要素）を備え、これによって焦点合わせは全く機械的に実施される。このタイプの焦点合わせは、特にその分かりやすい操作の故に定着し、妥当な場合、押ボタンに加えて、高価な顕微鏡スタンドでも使用される。従って、好ましい例示的実施形態において、動作要素は回転軸を中心として回転可能に配置される。それは、動作要素の回転の結果として回転可能である軸に結合されることが好ましい。この種類の構成は、既存技術から自然に知られると思われる。
【００１６】
原理上は、動作要素のオペレータ操作が、顕微鏡ステージと対物レンズとの間の相対的運動の生成のために、機械的に、またはべつのやり方で伝達されることもあり得る。動作要素が電気的変換器だけを備える場合、当然の選択は、変換器によって生成される信号を電気的なやり方で、例えば、可撓ケーブル接続を経由して伝達することであり、かつそれらを使用して、顕微鏡ステージと対物レンズとの間の相対的運動を生成することである。焦点合わせ装置の旋回軸に対してほぼ同軸上に配置される、回転可能に取り付けられた第２軸が、特に、動作要素のオペレータ操作の機械的伝達のために、設けられることもあり得る。この軸は、動作要素の軸の回転運動が第２軸へ伝達可能であって、この方法の必要条件は、動作要素は回転軸を中心に回転可能であり、かつ動作要素の回転によって回転可能である軸に結合されることであるように具体化されることもあり得る。
【００１７】
動作要素の操作の焦点合わせ装置への機械的伝達との関連で、動作要素の軸と第２軸との間の回転運動を確動的に伝達する手段が講じられることが好ましい。これは、具体的に言えば、少なくとも２つの歯車を用いて実行されることも可能であり、１つの歯車は各軸に回転できないように配置されることが好ましく、歯車は互いにかみ合った係合状態にある。歯も少なくとも１つの部位で１つの軸に設けられることも可能であり、そのため歯車がその軸に設けられる必要は全くない。
【００１８】
旋回可能に取り付けられる焦点装置との関連で、第２軸の回転運動は、顕微鏡スタンドに対して対物レンズまたは顕微鏡ステージを対物レンズの光軸方向に移動する、機構へ確動的に伝達可能であることもあり得る。「確動的な伝達（positively engaged transfer）」は、具体的に言えば、互いに補完的なやり方で構成される、少なくとも２つの部品のかみ合った係合として理解されるべきである。２つの部品は、例えば、２つの歯車、または歯車と歯のあるラックを備える。
【００１９】
焦点装置の（したがって動作要素の）垂直方向における顕微鏡ステージに対する相対運動のみが達成される場合、支持キャリジと連動する動作要素の回転軸の回転運動は、確動的に機構へ伝達可能であるということもあり得る。次いでその機構は、顕微鏡スタンドに対して対物レンズまたは顕微鏡ステージを対物レンズの光軸方向でもう一度移動させる。
【００２０】
極めて一般的に、動作要素の軸の回転運動の、顕微鏡スタンドに対して対物レンズまたは顕微鏡ステージを対物レンズの光軸方向で移動させる、機構への確動的な伝達に役立つ、少なくとも１つの別の中間軸が設けられるということもあり得る。動作要素の軸の回転運動の機構への対応するステップダウンまたはステップアップ変換が、それによって、例えば、異なる歯車直径の適当な選択によって達成され得る。これは、一方で、全位置決め範囲に沿った対物レンズまたは顕微鏡ステージの素早い位置決めを、他方で、対物レンズまたは顕微鏡ステージの充分な細かい位置決めを可能にし、そのため特定の試料部位が、制御されたやり方で、かつ位置決め運動に関して充分な分解能で焦点を合わされ得る。
【００２１】
具体的に、顕微鏡スタンドに対して対物レンズまたは顕微鏡ステージを対物レンズの光軸方向で移動させる機構は、歯のあるラックを備えていることもあり得る。この場合は、歯のあるラックは、第２軸と、または支持キャリジと連動する動作要素の回転軸と、かみ合った係合状態にある。顕微鏡ステージまたは顕微鏡対物レンズは、焦点合わせのために、顕微鏡対物レンズの光軸方向で移動させられる必要があり、かつその軸は通常垂直に向けられるので、当然の選択もまた歯のあるラックをその長手方向軸と垂直に整列させることであり、そのため歯のあるラックとかみ合った係合状態にある軸の回転運動は、垂直方向の直線運動に直接変換される。
【００２２】
一旦動作要素が、オペレータ独自のやり方で、顕微鏡スタンドに対するその空間的位置で、オペレータによって配置されると、オペレータによって選択される特定の位置に動作要素を固定する手段が講じられる必要がある。支持キャリジまたは焦点装置が顕微鏡スタンドに固定され得る手段が、そのために講じられる。この固定は、確動的にではなく、例えば、顕微鏡スタンドに対して動作要素の一部を押し込むことによって、達成されることが好ましい。
【００２３】
特に好ましいやり方で、少なくとも１つの動作要素は粗駆動部および／または微駆動部を備える。従って、顕微鏡オペレータが、よく知られている方法で、粗駆動部を用いてより大きい移動範囲にわたって、および／または微駆動部を用いて小さい移動範囲にわたって顕微鏡ステージまたは対物レンズを調整することが可能である。粗駆動部または微駆動部は、既存技術によって知られている方法で、電動化または機械的なやり方で、具体化されることが可能であり、機械的実施形態が循環ボール駆動システムによって達成できることが好ましい。
【００２４】
焦点合わせ装置の電動化した実施形態の場合、焦点合わせ装置の軸が回転可能であるか、または駆動可能である、少なくとも１つのモーターが設けられるということもあり得る。動作要素と連動する軸が、モーターによって回転させられるということもあり得るのが好ましい。モーターはステッピングモーター、および、妥当な場合、ステップダウン歯車駆動部を備えるということもあり得る。
【００２５】
好ましい実施形態において、顕微鏡ステージ、または対物レンズを受け入れる対物レンズタレットが動けるガイドが、顕微鏡スタンドに設けられる。このガイドは、ボールガイド、具体的に言えば、クロスドローラーガイド、またはプレーンガイド、具体的に言えば、ダブテールガイドであるということもあり得る。
【００２６】
本発明の教示を有利に具体化し、改善する種々の方法がある。図面を参照した、本発明の好ましい例示的実施形態の説明とともに、一般に好ましい実施形態および教示の改善についての説明も与えられる。
【００２７】
図１〜９で、同一または類似の部品には同じ参照符号を付けられる。
【発明を実施するための最良の形態】
【００２８】
図１は、本発明の教示が実施される顕微鏡１の側面図である。顕微鏡１は顕微鏡スタンド２を含む。顕微鏡１は支持面１０に立つ。また、少なくとも１つの対物レンズ４を保持するタレット３が、顕微鏡スタンド２に設けられる。対物レンズ４はタレット３によって旋回させられて、作動位置に設定され得る。対物レンズ４は、対物レンズ４の作動位置において、顕微鏡ステージ６に垂直に走る光軸５を有する。調べられる試料７が顕微鏡ステージ６上に置かれ得る。顕微鏡１は、試料７を焦点に合わせるのに役立つ焦点合わせ装置２０（図５参照）を備え、焦点合わせ装置２０は顕微鏡スタンド２の内部に取り付けられる。この焦点合わせ装置２０を用いて、顕微鏡ステージ６は、対物レンズ４の光軸５の方向で顕微鏡スタンド２に対して位置決め可能である。焦点合わせ装置２０は２つの動作要素８を保持する（１つの動作要素８のみが図１の側面図に示される）。動作要素８は、顕微鏡スタンド２の２つの側壁２ａおよび２ｂに設けられる。これらの動作要素８を用いて、ユーザは顕微鏡ステージ６の光軸５の方向における移動を可能にし得る。顕微鏡ステージ６の移動は、顕微鏡ステージ６上に在る試料７の焦点合わせをもたらす。顕微鏡ステージ６の移動要素９が、動作要素８の直ぐ前に位置決めされる。移動要素９は顕微鏡ステージ６に連結され、光軸５に垂直な顕微鏡ステージ６の移動を可能にし、これによって試料７は対物レンズ４の画像フィールド内に位置決めされ得る。移動要素９は、顕微鏡ステージ６のＸ方向の移動を可能にするＸ要素９ａを含む。移動要素９はさらに、顕微鏡ステージ６のＹ方向の移動を可能にするＹ要素９ｂを含む。
【００２９】
図２は、いくつかの要素が顕微鏡スタンド２およびその構成のより良い印象を得るために取り外されている、顕微鏡１の斜視図である。顕微鏡スタンド２は、例えば、双眼接眼レンズ（図示せず）を取り付けるためのフランジ１１を有する。しかしながら、これは決して制限と解釈されるべきではない。顕微鏡スタンド２は顕微鏡ステージ６（図１参照）のための保持要素１２をさらに備える。保持要素１２は、作動位置に配置される対物レンズ４の光軸５に平行に焦点装置２０によって動かされる。顕微鏡スタンド２の内部に取り付けられる焦点合わせ装置２０は、第１端部１４ａおよび第２端部１４ｂを有する（図５参照）。第１端部１４ａおよび第２端部１４ｂは、開口１５を通して顕微鏡スタンド２の第１側壁２ａおよび第２側壁２ｂでそれぞれ係合する。図１に関する記述で既に説明したように、動作要素８は焦点合わせ装置２０の第１および第２端部にそれぞれ取り付けられ得る。図２に示す例示的実施形態において、開口１５は、顕微鏡スタンド２の反対側に位置する側壁２ａおよび２ｂに具体化される、湾曲した細長い穴１３の形状を有する。図７に示す実施形態において、顕微鏡スタンド２の内部に取り付けられる焦点合わせ装置２０は、開口１５を通して顕微鏡スタンド２の第１側壁２ａおよび第２側壁２ｂで、それぞれ第１端部１４ａおよび第２端部１４ｂ（図５参照）と同じように係合する。この実施形態において、開口１５は、長手の開口５１として第１側壁２ａおよび第２側壁２ｂに構成される。
【００３０】
図３は前方から見た顕微鏡１の斜視図である。その内部で、顕微鏡スタンド２が部分的に多数の支柱１６から構成される。これは、一方で材料の節約を、他方で顕微鏡スタンド２の補強をもたらす。いくつかの取付け位置１７が、顕微鏡ステージ６の保持要素１２の内部に同じように構成される。取付け位置１７の各々が第１停止面１７ａおよび第２停止面１７ｂを備える。第１停止面１７ａおよび第２停止面１７ｂは互いに直角に走り、その位置に取り付けられる部品（図示せず）が、さらなる整列無しにこの位置にネジを用いて取り付けられ得るように構成される。図３において、顕微鏡スタンド２の内部に設けられる焦点合わせ装置２０の第２端部１４ｂは、第２側壁２ｂ上に見える。焦点合わせ装置２０の回転軸１８は、第１側壁２ａおよび第２側壁２ｂを通して同じように接近可能である。
【００３１】
図４は本発明による顕微鏡スタンド２の下からの３次元図であり、従って顕微鏡スタンド２の内部２ｃが見える。図５に示す焦点合わせ装置２０は、顕微鏡スタンド２の内部２ｃに固定され得る。そのために、焦点合わせ装置２０の２つの端部１４ａおよび１４ｂは、顕微鏡スタンド２の２つの側壁２ａおよび２ｂから突出する（図２参照）。焦点合わせ装置２０はいくつかの歯車２２の１つを含む。焦点合わせ装置２０の歯車の１つは、歯車の１つの回転運動を確動的に機構２４へ伝達する、機構２４とかみ合った係合状態にあり、この機構は顕微鏡ステージ６を顕微鏡スタンド２に対して対物レンズ４の光軸５の方向で移動させる。
【００３２】
図５は、本発明による顕微鏡１の例示的実施形態に従った、焦点合わせ装置２０の例示的実施形態の３次元図である。この例示的実施形態によって、焦点合わせ装置２０は旋回軸２３を有し、焦点合わせ装置２０がそれを中心に旋回可能に配置されている。旋回軸２３は顕微鏡スタンドに、または顕微鏡スタンド２の内部２ｃに旋回可能に取り付けられる。
【００３３】
焦点合わせ装置２０は、焦点合わせ装置２０がともに顕微鏡スタンド２に旋回可能に取り付けられ得る、ピンまたは第２軸（図５に示さず）がそれを通して引き入れられ得る、２つの細長い開口部２５を含む。図５の焦点合わせ装置２０の旋回軸２３は、従って２つの開口部２５を通って中心に延び、これは図５に破線で示される。これらの開口部２５は第２軸２１を保持する。焦点合わせ装置２０は旋回軸２３と平行に配置される別の第１軸２６を有する。第１軸２６は、軸２７を中心に回転可能に配置され、焦点合わせ装置２０の動作要素８が取り付けられる、第１端部１４ａおよび第２端部１４ｂを備える。回転運動が、第１軸２６、焦点合わせ装置２０、および第２軸２１の間で確動的に伝達される。第２軸２１に回転不可能に配置される歯車２２がそのために設けられる。歯車２２の歯とかみ合った係合状態にある歯２１ａが、第１軸２６の中央部位に構成される。
【００３４】
第２軸２１の回転運動が確動的に機構２４（図４参照）へ伝達され、この機構は顕微鏡ステージ６を顕微鏡スタンド２に対して対物レンズ４の光軸５の方向で移動させる。第２軸２１に回転不可能に結合される第２歯車２８が、そのために第２軸２１に設けられる。第２歯車２８は歯のあるラック３０とかみ合った係合状態にあり、このラックは、それによって顕微鏡ステージ６が顕微鏡スタンド２に対して対物レンズ４の光軸５の方向で移動可能である、機構２４の一部を表わす。焦点合わせ装置２０は、それによって焦点装置２０が固定されるか、あるいは顕微鏡スタンド２の側壁２ａまたは２ｂに押し付けられるフランジ３２を片側に備える。焦点装置２０の顕微鏡スタンドへの締め付け固定が、このようにして生じる。
【００３５】
図６は図１の切断線Ｆ−Ｆに沿った焦点装置２０の詳細図である。図６は動作要素８は粗駆動部８ａおよび微駆動部８ｂを備えることを示す。動作要素８の粗駆動部８ａは、回転ノブ３５を通してオペレータによって操作される。粗駆動部８ａの回転ノブ３５は第１軸２６に回転不可能に連結され、そのため回転ノブ３５の回転が第１軸２６の回転を直接引き起こす。２つの回転ノブ３５は、粗駆動部８ａのために、すなわち、１つは顕微鏡スタンド２の左の側壁２ａに、そしてもう１つは右の側壁２ｂに設けられる。焦点装置２０と相応して連動する第１軸２６は、顕微鏡スタンド２の内部２ｃを貫通して横に延びる。軸４０に回転不可能に配置される、少なくとも１つの別の回転ノブ３６が追加して設けられる。回転ノブ３６の回転が、非確動的な連結の結果として、循環ボール駆動部３９のボール３８を回転させる、軸４０の回転を引き起こす。そして次にこれはその回転を動作要素８の第１軸２６に伝達する。軸４０、ボール３８、および循環ボール駆動部３９の筐体３４（図４参照）の間のステップダウン変換比のために、軸２６は回転ノブ３６の作動によって大きいステップダウン比で回転させられて、対物レンズ４に対する試料７の微細な位置決めを最終的に可能にする。
【００３６】
図７において、焦点装置２０は、顕微鏡スタンド２にではなく、示すように支持キャリジ４１に固定される。支持キャリジ４１の下方運動が、顕微鏡スタンド２に配置されるバネ４２によって阻止される。支持キャリジ４１に取り付けられる軸２１が、図８に破線で示す細長い開口１３を通って顕微鏡スタンド２から横に突出し得る。第２例示的実施形態において、顕微鏡スタンド２に設けられる開口１５が、円部分の形で、または湾曲した細長い穴１３として具体化されて、円部分形状は、焦点装置２０の軸２７と動作要素８の軸９または第１軸２６との間の間隔に適合される。
【００３７】
図７の例示的実施形態によって、支持キャリジ４１と連動する、動作要素８の軸２６の回転運動が、顕微鏡ステージ６を顕微鏡スタンド２に対して対物レンズ４の光軸５の方向で移動させる、機構２４へ確動的に伝達される。確動的なエネルギー伝達の場合、対物レンズ４と顕微鏡ステージ６との間の対物レンズ４の光軸５の方向における相対運動を生成する、第１軸２６の回転運動の機構２４への確動的な伝達に役立つ、少なくとも１つの別の中間軸１９（図８も参照）が、設けられ得る。この例示的実施形態によって、歯車２２とかみ合って係合する動作要素８の軸２６は、回転可能に取り付けられるやり方で支持キャリジ４１で具体化されて、歯車２２は第２軸２１に回転不可能に取り付けられる。第２軸２１は同じように支持キャリジ４１に回転可能に取り付けられる。従って第２軸２１は、顕微鏡ステージ６を顕微鏡スタンド２に対して対物レンズ４の光軸５の方向で移動させる、動作要素８の第１軸２６の回転運動の機構２４への確動的な伝達に役立つ、別の中間軸の機能を有する。動作要素８の回転運動は、このように（所定のステップダウン変換比の実現はさて置いて）第１軸２６から機構２４の歯のあるラック４４へ同じように直接伝達されるだろう。
【００３８】
図７の例示的実施形態によって、動作要素８（簡単にするために示さず）は垂直方向に基本的に可動に配置され、垂直運動方向が二重矢印４６で示される。動作要素８が連動する支持キャリジ４１がこのために設けられる。支持キャリジ４１は、顕微鏡スタンド２に設けられるガイド４７に沿って可動に配置され、ガイド４７は、個々に描かれたボールによって概略的に示されるクロスドローラーガイドを備える。図７に示す支持キャリジ４１が顕微鏡スタンド２に固定されない場合には、支持キャリジ４１の下方運動が、顕微鏡スタンド２に配置されるバネ４２によって阻止される。支持キャリジ４１に取り付けられる軸２６が、破線で示す長手の開口５１を通って顕微鏡スタンド２から横に突出し得る。
【００３９】
第２例示的実施形態において、顕微鏡スタンド２に設けられる開口１５が、湾曲した細長い穴１３として、または円部分として具体化され、円部分形状は、焦点合わせ装置２０の旋回軸２３と動作要素８の回転軸２７または軸２６との間の間隔に適合される。図８の円部分形状の開口１５は、図２および３に示す湾曲した細長い穴１３に相当する。焦点装置２０の旋回運動が湾曲した二重矢印５５によってここに示される。
【００４０】
図９は、顕微鏡１の動作要素８ａおよび８ｂの回転運動の電子コーディングが実行される、本発明の別の実施形態の断面図である。顕微鏡スタンド２に設けられる動作要素８が、粗駆動部８ａおよび微駆動部８ｂを含む。動作要素８の粗駆動部８ａは、回転ノブ３５を通してオペレータによって操作される。粗駆動部８ａの回転ノブ３５は第１軸２６に回転不可能に連結され、そのため回転ノブ３５の回転が軸２６の回転を直接生じる。ここに述べる例示的実施形態において、軸２６はコーディングディスク６０に連結される。動作要素８による軸２６の回転時、従ってコーディングディスク６０も回転され、コーディングディスクの回転がセンサー要素６１で検出され、モーター６２を起動するために用いられる、対応する電気的信号に変換される。モーター６２は、顕微鏡ステージ６を光軸５の方向で移動させるのに役立ち、それによって顕微鏡ステージ６上に在る試料７を焦点に合わせることができる。動作要素８の顕微鏡スタンド２におけるその位置に関する移動が、図７および図８に示す例示的実施形態に従って達成される。
【００４１】
最後に、上に説明した例示的実施形態は、請求される教示をただ説明するのに役立つに過ぎず、それを例示的実施形態に限定しないことに特に留意すべきである。
【図面の簡単な説明】
【００４２】
【図１】本発明の教示が実施される顕微鏡の側面図である。
【図２】いくつかの要素が顕微鏡スタンドのより良い印象を得るように取り外されている顕微鏡の斜視図である。
【図３】前方から見た顕微鏡の斜視図である。
【図４】顕微鏡スタンドの内部を下から見た、本発明による顕微鏡スタンドの３次元図である。
【図５】本発明による顕微鏡の例示的実施形態に従った、焦点合わせ装置の例示的実施形態の３次元図である。
【図６】図１の切断線Ｆ−Ｆに沿った焦点装置の詳細図である。
【図７】焦点装置の垂直移動のみが可能である、本発明の第１例示的実施形態の断面図である。
【図８】焦点装置の水平および垂直成分を有する移動が可能である、本発明の第２例示的実施形態の断面図である。
【図９】顕微鏡の動作要素の回転運動の電子コーディングが実行される、本発明の別の実施形態の断面図である。
【符号の説明】
【００４３】
１  顕微鏡
２  顕微鏡スタンド
２ａ  第１側壁
２ｂ  第２側壁
２ｃ  内部
３  タレット
４  対物レンズ
５  光軸
６  顕微鏡ステージ
７  試料
８  動作要素
８ａ  粗駆動部
８ｂ  微駆動部
９  移動要素
９ａ  Ｘ要素
９ｂ  Ｙ要素
１０  支持面
１１  フランジ
１２  保持要素
１３  穴
１４ａ  第１端部
１４ｂ  第２端部
１５  開口
１６  支柱
１７  取付け位置
１７ａ  第１停止面
１７ｂ  第２停止面
１９  中間軸
２０  焦点合わせ装置
２１  第２軸
２１ａ  歯
２２  歯車
２３  旋回軸
２４  機構
２５  開口部
２６  第１軸
２７  回転軸
２８  第２歯車
３０  歯のあるラック
３２  フランジ
３４  筐体
３５  回転ノブ
３６  回転ノブ
３８  ボール
３９  循環ボール駆動部
４０  軸
４１  支持キャリジ
４２  バネ
４４  歯のあるラック
４６  二重矢印
４７  ガイド
５１  開口
５５  二重矢印
６０  コーディングディスク
６１  センサー要素
６２  モーター
【図１】
0004677213.tif 000002
【図２】
0004677213.tif 000003
【図３】
0004677213.tif 000004
【図４】
0004677213.tif 000005
【図５】
0004677213.tif 000006
【図６】
0004677213.tif 000007
【図７】
0004677213.tif 000008
【図８】
0004677213.tif 000009
【図９】
0004677213.tif 000010